(57)【要約】【課題】よりアンテナ特性が安定したアンテナ装置及びそれを備えた車両を提供する。【解決手段】アンテナ装置１０は、アンテナ素子１と、ケース３と、充填部と、を備えている。ケース３は、アンテナ素子１を収納する凹部３ａａを有している。充填部は、凹部３ａａに充填されている。アンテナ素子１は、フェライトコア１ｃと、フェライトコア１ｃを収容するボビン１ｂと、ボビン１ｂに巻き回された巻線１ａと、を有している。ボビン１ｂは、フェライトコア１ｃを露出させる開口部１ａａを有している。充填部は、巻き回された巻線１ａの内側において、ボビン１ｂから露出するフェライトコア１ｃを封止し、開口部１ａａを閉塞している。【選択図】図５
2017123523.tif 000002
【特許請求の範囲】
【請求項１】
アンテナ素子と、該アンテナ素子を収納する凹部を有するケースと、前記凹部に充填されている充填部と、を備え、
前記アンテナ素子は、フェライトコアと、該フェライトコアを収容するボビンと、該ボビンに巻き回された巻線と、を有し、
前記ボビンは、前記フェライトコアを露出させる開口部を有しており、
前記充填部は、巻き回された前記巻線の内側において、前記ボビンから露出する前記フェライトコアを封止し、前記開口部を閉塞しているアンテナ装置。
【請求項２】
前記巻線は、前記ボビンに巻き回された巻き密度が相対的に高い密部分と、前記ボビンに巻き回された巻き密度が相対的に低い疎部分と、を有しており、
前記巻線と前記ボビンとは、前記凹部の深さ方向に沿った方向から見て、前記疎部分と、前記開口部とが重複している請求項１に記載のアンテナ装置。
【請求項３】
前記巻線は、前記密部分が前記疎部分を挟むように配置されている請求項２に記載のアンテナ装置。
【請求項４】
前記ボビンは、長尺の胴部と、該胴部の長手方向の一端もしくは他端の少なくとも一方に設けられた鍔部と、を有しており、
前記巻線は、前記密部分が前記疎部分よりも前記鍔部に近い請求項２ないし請求項３のいずれか１項に記載のアンテナ装置。
【請求項５】
前記巻線は、前記密部分と前記疎部分との間に、前記密部分から前記疎部分に向けて前記ボビンに巻き回された巻き密度が低い遷移部分を有している請求項２ないし請求項４のいずれか１項に記載のアンテナ装置。
【請求項６】
前記フェライトコアは、長尺の外形形状をしており、
前記フェライトコアと前記ボビンとは、前記凹部の深さ方向に沿った方向から見て、前記フェライトコアにおける長手方向の中央部と、前記開口部とが重複している請求項１ないし請求項５のいずれか１項に記載のアンテナ装置。
【請求項７】
前記ケースは、前記凹部内において、前記ボビンを保持する保持体を有しており、
前記ボビンは、前記保持体と嵌め合される嵌合部を有し、前記保持体と前記嵌合部との嵌め合いによって前記ケースに保持されており、
前記嵌合部は、前記凹部の深さ方向に沿った方向から見て、前記ボビンから外方へ突出する第１突起体と、前記ボビンから前記第１突起体が突出する突出方向と反対の外方へ突出する第２突起体と、を有しており、
前記第１突起体と前記第２突起体とは、前記凹部の深さ方向に沿った方向から見て、非対称の形状である請求項１ないし請求項６のいずれか１項に記載のアンテナ装置。
【請求項８】
前記ケースは、前記凹部内において、前記ボビンを保持する保持体を有しており、
前記ボビンは、長尺に形成されており、前記保持体と嵌め合される嵌合部を有し、前記保持体と前記嵌合部との嵌め合いによって前記ケースに保持されており、
前記嵌合部は、前記凹部の深さ方向に沿った方向から見て、前記ボビンから外方へ突出する第１突起体と、前記ボビンから前記第１突起体が突出する突出方向と反対の外方へ突出する第２突起体と、前記ボビンから前記第１突起体と前記第２突起体とが突出する突出方向と異なる外方へ突出する第３突起体と、を有しており、
前記第３突起体は、前記凹部の深さ方向に沿った方向から見て、前記ボビンの長手方向の一端部に設けられており、
前記第１突起体及び第２突起体は、前記凹部の深さ方向に沿った方向から見て、前記ボビンの長手方向の前記一端部と反対の他端部に設けられている請求項１ないし請求項６のいずれか１項に記載のアンテナ装置。
【請求項９】
請求項１ないし請求項８のいずれか１項に記載の前記アンテナ装置と、該アンテナ装置が設けられた車体と、を有する車両。
【発明の詳細な説明】
【技術分野】
【０００１】
本発明は、アンテナ装置及びそれを備えた車両に関する。
【背景技術】
【０００２】
近年、電子キーシステムが車両に用いられている。電子キーシステムは、ユーザがリモートコントロール装置（以下、リモコン装置と称する）を携帯した状態で車体のドアハンドルに触れるなどすると、ドアの錠が自動的に解錠されるように構成されている。電子キーシステムでは、車体からリモコン装置へ電波の送信ができるようにアンテナ装置が利用される。
【０００３】
この種のアンテナ装置としては、薄型棒状のコアと、コアを収納したボビンと、ボビンの巻溝に巻線を施したコイルと、コイルを凹部に収納した外装ケースと、外装ケースの凹部に充填した接着剤と、を有する構成が知られている（たとえば、特許文献１を参照）。特許文献１のアンテナ装置は、ボビンとして、一側面が開口した凹部状の絶縁性ボビンが用いられている。
【先行技術文献】
【特許文献】
【０００４】
【特許文献１】特開２００５−２９５４７３号公報
【発明の概要】
【発明が解決しようとする課題】
【０００５】
ところで、アンテナ装置では、よりアンテナ特性の安定した構造が求められており、上述の特許文献１のアンテナ装置の構造だけでは十分ではなく、更なる改良が求められている。
【０００６】
本発明の目的は、よりアンテナ特性の安定したアンテナ装置及びそれを備えた車両を提供することにある。
【課題を解決するための手段】
【０００７】
本発明のアンテナ装置は、アンテナ素子と、ケースと、充填部と、を備えている。上記ケースは、凹部を有している。上記凹部は、上記アンテナ素子を収納することができるように構成されている。上記充填部は、上記凹部に充填されている。上記アンテナ素子は、フェライトコアと、ボビンと、巻線と、を有している。上記ボビンは、上記フェライトコアを収容することができるように構成されている。上記巻線は、上記ボビンに巻き回しされる。上記ボビンは、上記フェライトコアを露出させる開口部を有している。上記充填部は、巻き回された上記巻線の内側において、上記ボビンから露出する上記フェライトコアを封止している。上記充填部は、上記開口部を閉塞している。
【０００８】
本発明の車両は、上述の上記アンテナ装置と、当該アンテナ装置が設けられた車体と、を有する。
【発明の効果】
【０００９】
本発明のアンテナ装置は、よりアンテナ特性を安定させることができる。
【００１０】
本発明の車両は、よりアンテナ特性が安定したアンテナ装置を備えた構成とすることができる。
【図面の簡単な説明】
【００１１】
【図１】図１は、本発明の一実施形態に係るアンテナ装置の要部を示す一部破断した背面図である。
【図２】図２は、同上のアンテナ装置を示す一部破断した背面図である。
【図３】図３は、同上のアンテナ装置の要部を説明する背面側の斜視図である。
【図４】図４は、同上のアンテナ装置の要部を説明する一部破断した分解斜視図である。
【図５】図５は、同上のアンテナ装置の要部を示す一部破断した断面図である。
【図６】図６は、同上のアンテナ装置の要部を拡大した部分斜視図である。
【図７】図７は、同上のアンテナ装置の要部を拡大した別の部分斜視図である。
【図８】図８は、同上のアンテナ装置を備えた車両を説明する模式図である。
【発明を実施するための形態】
【００１２】
以下では、本実施形態のアンテナ装置１０について、図１ないし図７を参照しながら説明する。図８では、アンテナ装置１０を備えた車両３０について説明する。なお、図中において、同じ部材に対しては、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材が複数の要素を兼ねる態様としてもよいし、逆に一の部材の機能を複数の部材で分担して実現してもよい。
【００１３】
本実施形態のアンテナ装置１０は、図１ないし図５に示すように、アンテナ素子１と、ケース３と、充填部４と、を備えている。ケース３は、凹部３ａａを有している。凹部３ａａは、アンテナ素子１を収納することができるように構成されている。充填部４は、凹部３ａａに充填されている。アンテナ素子１は、フェライトコア１ｃと、ボビン１ｂと、巻線１ａと、を有している。ボビン１ｂは、フェライトコア１ｃを収容することができるように構成されている。巻線１ａは、ボビン１ｂに巻き回しされる。ボビン１ｂは、フェライトコア１ｃを露出させる開口部１ａａを有している。充填部４は、巻き回された巻線１ａの内側において、ボビン１ｂから露出するフェライトコア１ｃを封止している。充填部４は、開口部１ａａを閉塞している。
【００１４】
本実施形態のアンテナ装置１０は、充填部４が、巻線１ａの内側において、ボビン１ｂから露出するフェライトコア１ｃを封止し、開口部１ａａを閉塞しているので、よりアンテナ特性を安定させることができる。アンテナ特性とは、たとえば、アンテナコイルの電気特性や電界強度が挙げられる。
【００１５】
最初に、本実施形態のアンテナ装置１０を備えた車両３０について、図８を用いて説明する。図８では、各構成の電気的な接続を行う電路を、太い破線で例示している。
【００１６】
車両３０は、車体３０ａと、リモコン装置３０ｂと、で構成されている。車両３０は、ユーザが携帯するリモコン装置３０ｂと、車体３０ａとが、別体に構成されている。車体３０ａは、アンテナ装置１０と、制御装置３２と、施錠装置３３ａと、を有している。
【００１７】
アンテナ装置１０は、車体３０ａのドアハンドルに設けられている。アンテナ装置１０は、車体３０ａのドアハンドルに設けられる構成だけに限られない。アンテナ装置１０は、車体３０ａのドア３３、バンパ、センターコンソール、トランク、カーゴルームやダッシュボードなどに設けられてもよい。車体３０ａには、１つ以上のアンテナ装置１０が設けられていればよい。
【００１８】
制御装置３２は、アンテナ装置１０と電気的に接続されている。制御装置３２は、施錠装置３３ａと電気的に接続されている。制御装置３２は、アンテナ装置１０や施錠装置３３ａと有線により電気的に接続される構成だけでなく、無線により接続される構成でもよい。制御装置３２は、車体３０ａに搭載されたＥＣＵ(Electronic Control Unit)を利用して構成されている。
【００１９】
施錠装置３３ａは、ドア３３に設けられている。施錠装置３３ａは、ドア３３の錠の施錠や解錠をアクチュエータで行うことができるように構成されている。
【００２０】
リモコン装置３０ｂは、受信部３５ａと、記憶部３５ｂと、制御回路部３５ｃと、送信部３５ｄと、を備えている。リモコン装置３０ｂは、車体３０ａの制御装置３２との間で、信号の送信及び受信ができるように構成されている。リモコン装置３０ｂは、ユーザが携帯することができるような電子キーの形態に形成されている。
【００２１】
車両３０では、リモコン装置３０ｂと、制御装置３２との間で信号の送信及び受信が行われることで、車体３０ａにおけるドア３３の錠の施錠若しくは解錠が行われる。言い換えれば、車両３０は、リモコン装置３０ｂと、アンテナ装置１０と、制御装置３２と、施錠装置３３ａとで、電子キーシステムが構成されている。
【００２２】
車両３０は、リモコン装置３０ｂと、制御装置３２との間で信号の送信及び受信が行われることで、車体３０ａにおけるエンジンやモータの駆動の開始若しくは停止を行える状態となるように構成されてもよい。車両３０は、ユーザがリモコン装置３０ｂを携帯した状態で、車体３０ａのドアハンドルにユーザが触れるなどすると、自動的にドア３３の錠の解錠を行うことに加え、エンジンの始動などができるように構成されていてもよい。
【００２３】
車両３０では、車体３０ａからリモコン装置３０ｂへの信号を、制御装置３２がアンテナ装置１０から電波で送信させる。以下では、アンテナ装置１０から送信される電波を、第１送信波３０ｗａとも称する。制御装置３２は、たとえば、車体３０ａが駐車中の場合、アンテナ装置１０から第１送信波３０ｗａを送信させる。第１送信波３０ｗａには、リモコン装置３０ｂからの応答を要求する要求信号が含まれている。アンテナ装置１０は、たとえば、ＬＦ(Low Frequency)帯の周波数の電波で、第１送信波３０ｗａを送信できるように構成されている。
【００２４】
リモコン装置３０ｂは、たとえば、ユーザがリモコン装置３０ｂを携帯して第１送信波３０ｗａを受信可能な領域にいる場合、第１送信波３０ｗａを受信部３５ａで受信する。リモコン装置３０ｂは、制御装置３２からの要求信号に応じて、電波を送信できるように構成されている。以下では、リモコン装置３０ｂから送信される電波を、第２送信波３０ｗｂとも称する。リモコン装置３０ｂの制御回路部３５ｃは、送信部３５ｄに第２送信波３０ｗｂを送信させる。第２送信波３０ｗｂは、制御装置３２からの要求信号に応答する応答信号を含んでいる。応答信号には、あらかじめ記憶部３５ｂに記憶されている識別情報が含まれている。送信部３５ｄは、たとえば、ＵＨＦ(Ultra High Frequency)帯の周波数の電波で、第２送信波３０ｗｂを送信できるように構成されている。
【００２５】
制御装置３２は、たとえば、リモコン装置３０ｂからの第２送信波３０ｗｂを受信できるように、ＵＨＦ受信機を内蔵した構造とすることができる。制御装置３２は、受信した第２送信波３０ｗｂに含まれる識別情報と、制御装置３２に内蔵された記憶装置３２ａにあらかじめ記憶された識別情報とを比較する。制御装置３２は、第２送信波３０ｗｂに含まれる識別情報と、記憶装置３２ａに記憶された識別情報とが一致すれば、ドア３３の錠を解錠させるように施錠装置３３ａを制御する。
【００２６】
本実施形態のアンテナ装置１０は、ＬＦ帯の第１送信波３０ｗａを送信できるように構成されており、ＬＦ帯の電波の周波数がＵＨＦ帯と比べて低いため、電界強度の微調整を比較的容易に行うことができる。アンテナ装置１０は、必ずしもＬＦ帯の周波数の電波を送信する構成だけに限られず、他の周波数帯の電波を送信する構成でもよい。アンテナ装置１０は、電波を送信するために用いられる場合だけに限られず、電波を受信するために用いられてもよい。アンテナ装置１０は、電波を送信及び受信するために用いられてもよい。
【００２７】
以下では、本実施形態のアンテナ装置１０の各構成を図１ないし図７に基づいて、より具体的に説明する。
【００２８】
アンテナ素子１は、巻線１ａとボビン１ｂとフェライトコア１ｃとに加え、接続端子５と電線６とを備えることで、バーアンテナを構成している。アンテナ素子１は、アンテナ装置１０の外部から入力された高周波エネルギの信号を、電波として送信することができるように構成されている。巻線１ａは、アンテナコイルを構成している。巻線１ａは、線材１ｄがボビン１ｂに巻き回しされて形成されている。線材１ｄは、絶縁材と、絶縁材に覆われた金属線材と、を有している。金属線材としては、たとえば、銅線が挙げられる。絶縁材としては、たとえば、ポリウレタン樹脂、ポリエステル樹脂やポリイミド樹脂などが挙げられる。
【００２９】
ボビン１ｂは、図４に示すように、扁平な角筒状の外形形状をしている。ボビン１ｂは、長尺の胴部１ｂａと、胴部１ｂａの長手方向の一端及び一端と反対の他端に設けられた鍔部１ｂｄと、を有している。以下では、２つの鍔部１ｂｄのうち、一方の鍔部１ｂｄを第１鍔体１ｂｂと称し、他方の鍔部１ｂｄを第２鍔体１ｂｃと称する。ボビン１ｂは、長尺の胴部１ｂａに加え、胴部１ｂａの長手方向の一端もしくは他端の少なくも一方の鍔部１ｂｄと、を有していることが好ましい。
【００３０】
胴部１ｂａは、内部にフェライトコア１ｃを挿入できるように形成されている。胴部１ｂａは、図１、図３、図４及び図５に示すように、一対の主片１ｂｓと、一対の側片１ｂｍと、を有している。一対の主片１ｂｓのそれぞれは、複数の連結片１ｂｎにより構成されている。連結片１ｂｎは、矩形平板状に形成されている。一対の側片１ｂｍのそれぞれは、矩形平板状に形成されている。一対の側片１ｂｍは、対向して設けられている。連結片１ｂｎは、一対の側片１ｂｍ同士を連結させる。連結片１ｂｎは、側片１ｂｍの長辺に沿って、側片１ｂｍと直交する方向に設けられている。連結片１ｂｎは、側片１ｂｍの一方の長辺と、他方の長辺それぞれに沿って設けられている。
【００３１】
一対の側片１ｂｍと連結片１ｂｎと第１鍔体１ｂｂで囲まれる領域、一対の側片１ｂｍと一対の連結片１ｂｎで囲まれる領域、一対の側片１ｂｍと連結片１ｂｎと第２鍔体１ｂｃで囲まれる領域それぞれは、胴部１ｂａにおいて、開口部１ａａを構成している。言い換えれば、胴部１ｂａは、厚み方向に貫通する開口部１ａａを有する構造といえる。開口部１ａａは、アンテナ素子１がケース３の凹部３ａａに収納された状態で、凹部３ａａの深さ方向に沿った方向から見て、矩形状の外形形状をしている。以下では、アンテナ素子１がケース３の凹部３ａａに収納された状態で、凹部３ａａの深さ方向に沿った方向から見た状態を、平面視ともいう。開口部１ａａは、平面視において、矩形状だけに限られず、矩形状以外の多角形形状に形成されていてもよい。ボビン１ｂは、平面視において、開口部１ａａが多角形形状をしており、多角形形状の角に丸みを有していることが好ましい。ボビン１ｂは、図５に示すように、一方の主片１ｂｓに設けられた開口部１ａａと、一方と対向する他方の主片１ｂｓに設けられた開口部１ａａとが、互いに重複する重複領域と重複しない非重複領域の両方を有している。
【００３２】
第１鍔体１ｂｂは、胴部１ｂａの外形よりも大きい枠状の外形形状に形成されている。第１鍔体１ｂｂは、胴部１ｂａの側片１ｂｍや連結片１ｂｎの板厚みよりも厚く形成されている。第２鍔体１ｂｃは、胴部１ｂａの外形形状よりも大きい枠状の外形形状に形成されている。第２鍔体１ｂｃは、胴部１ｂａの側片１ｂｍや連結片１ｂｎの板厚みよりも厚く形成されている。第２鍔体１ｂｃは、平面視において、ボビン１ｂの長手方向に沿って、段部１ｂｈを備えている。段部１ｂｈは、第２鍔体１ｂｃにおいて、胴部１ｂａと連なる部位と、胴部１ｂａよりも外形が大きい部位とで段差を構成している。第２鍔体１ｂｃは、段部１ｂｈを構成する胴部１ｂａよりも外形が大きい部位が、第１突起体３ｒ１と第２突起体３ｒ２とを構成している。
【００３３】
言い換えれば、第２鍔体１ｂｃは、平面視において、ボビン１ｂの長手方向と交差する外方へ突出する第１突起体３ｒ１と、ボビン１ｂから第１突起体３ｒ１が突出する突出方向と反対の方向へ突出する第２突起体３ｒ２と、を有している。第１突起体３ｒ１と第２突起体３ｒ２とは、平面視において、ボビン１ｂの長手方向の長さが異なることで、形状が異なっている。第２鍔体１ｂｃは、フェライトコア１ｃを挿入できるように、内部が中空に形成されている。第１鍔体１ｂｂは、第２鍔体１ｂｃから胴部１ｂａに挿入されたフェライトコア１ｃが当たって、挿入止めされるように形成されている。第１鍔体１ｂｂは、ボビン１ｂの長手方向に沿って、外方へ突出する第３突起体３ｒ３を備えている。
【００３４】
アンテナ装置１０は、胴部１ｂａに巻き回された線材１ｄの移動を、胴部１ｂａの外形よりも大きい第１鍔体１ｂｂで抑制することができる。アンテナ装置１０は、巻線１ａの巻き締めによる変形に伴い、アンテナコイルのインダクタンスが低下するおそれがある。アンテナ装置１０は、胴部１ｂａよりも厚い第１鍔体１ｂｂや胴部１ｂａよりも厚い第２鍔体１ｂｃを備えることで、巻線１ａの巻き締めによる変形を抑止し、巻線１ａの巻き回しの作業性を向上させることができる。第１鍔体１ｂｂと第２鍔体１ｂｃとは、胴部１ｂａの厚みよりも厚く形成されていることで、フェライトコア１ｃを保持する機械的強度を高めることもできる。アンテナ装置１０は、第１鍔体１ｂｂと第２鍔体１ｂｃとが胴部１ｂａよりも厚く形成されていることで、開口部１ａａが設けられている場合でも、ボビン１ｂの機械的強度を向上させることができる。
【００３５】
ボビン１ｂは、平面視において、ボビン１ｂの長手方向と直交する方向に突出するフック部１ｆを備えている。フック部１ｆは、線材１ｄを引っ掛けることができるように構成されている。フック部１ｆは、第１フック部１ｆａと、第２フック部１ｆｂとの２種類を備えている。第１フック部１ｆａは、平面視において、第１鍔体１ｂｂの長手方向に沿った両側から突出するように設けられている。第１フック部１ｆａは、Ｔ字状の外形形状をしている。第２フック部１ｆｂは、平面視において、胴部１ｂａの一方の側片１ｂｍから突出するように設けられている。第２フック部１ｆｂは、胴部１ｂａにおける第２鍔体１ｂｃ側に設けられている。第２フック部１ｆｂは、Ｌ字状の外形形状をしている。フック部１ｆは、線材１ｄを引き掛けることができる限り、Ｔ字状やＬ字状の外形形状に限られず、種々の形状とすることができる。
【００３６】
アンテナ装置１０は、フック部１ｆが突出するように構成されていることで、線材１ｄがケース３に当たることを抑制することができる。すなわち、アンテナ装置１０は、ボビン１ｂがフック部１ｆを備えていることで、線材１ｄを保護することができる。アンテナ装置１０は、第１フック部１ｆａに線材１ｄを巻き付けることで、線材１ｄの弛みを抑制することができる。アンテナ装置１０は、第２フック部１ｆｂに巻線１ａの線材１ｄを巻き付けることで、巻線１ａの巻き方向を変えることができる。アンテナ装置１０は、第２フック部１ｆｂにより巻線１ａの巻き方向を変えることで、巻き回し作業性を向上させることができる。ボビン１ｂは、一対の第１フック部１ｆａのうちの一方の第１フック部１ｆａを介して、第１鍔体１ｂｂの長手方向の一方側から線材１ｄの一端が、導出できるように構成されている。ボビン１ｂは、一対の第１フック部１ｆａのうちの他方の第１フック部１ｆａを介して、第１鍔体１ｂｂの長手方向の他方側から線材１ｄの一端と反対の他端が、導出できるように構成されている。アンテナ装置１０は、充填部４を射出成形により形成される場合、フック部１ｆを備えることで、巻線１ａがボビン１ｂから外れることやボビン１ｂからずれることを抑制させることもできる。
【００３７】
ボビン１ｂは、樹脂材料を用いて形成されている。ボビン１ｂは、樹脂材料を用いる場合、樹脂材料中にガラス繊維を配合させることで機械的強度を高めてもよい。ボビン１ｂは、たとえば、樹脂材料中に３０重量％のガラス繊維を配合した構成とすることができる。ガラス繊維は、樹脂材料中に３０重量％が配合された場合だけに限られず、５重量％ないし５０重量％の範囲内で適宜に樹脂材料中に配合されていてもよい。ボビン１ｂの樹脂材料としては、たとえば、ＰＢＴ(Poly Butylene Terephthalate)樹脂、ＰＡ(Poly Amide)樹脂、ＬＣＰ(Liquid Crystal Plastic)樹脂、ＰＥＴ(Poly Ethylene Terephthalate)樹脂などを用いることができる。
【００３８】
アンテナ素子１のフェライトコア１ｃは、直方体状の外形形状としている。フェライトコア１ｃは、ボビン１ｂの胴部１ｂａよりも長尺に形成されている。フェライトコア１ｃは、磁性体で形成されている。フェライトコア１ｃは、アンテナコイルのインダクタンスを高めることができる。フェライトコア１ｃは、ボビン１ｂの内部に挿入されて、ボビン１ｂの内部で突出する押圧部に当たることで、ボビン１ｂ自体に固定される。フェライトコア１ｃは、ボビン１ｂ自体で固定される構成だけに限られず、接着剤でボビン１ｂに固定されてもよい。フェライトコア１ｃは、たとえば、マンガン亜鉛フェライト、ニッケル亜鉛フェライトや銅亜鉛フェライトなどが用いられる。
【００３９】
ケース３は、平面視において、長尺のケース本体部３ａと、ケース本体部３ａの長手方向に沿った一端から外方に二股に分かれるように突出する取付部３ｂと、を備えている。ケース３は、ケース本体部３ａと取付部３ｂとが、底壁部３ｃと側壁部３ｄとの一体成形によって形成されている。底壁部３ｃは、平面視において、長尺の外形形状をしている。側壁部３ｄは、底壁部３ｃを囲むように筒状に設けられている。ケース３は、側壁部３ｄと底壁部３ｃとで囲まれた領域が凹部３ａａを構成している。
【００４０】
ケース本体部３ａは、アンテナ素子１が収納される。ケース本体部３ａは、ケース本体部３ａの長手方向に沿った一端と反対の他端側に、凹部３ａａを構成する側壁部３ｄの内側面から突出する嵌合突起３ｈを備えている。嵌合突起３ｈは、第２鍔体１ｂｃの第１突起体３ｒ１または第２突起体３ｒ２を案内するガイド溝３ｂｃを構成している。ガイド溝３ｂｃには、図１、図４及び図７に示すように、側壁部３ｄから凹部３ａａに向かって突出する三角柱状の第１突状部３ｐが設けられている。第１突状部３ｐは、側壁部３ｄに一対設けられている。一対の第１突状部３ｐは、互いに対向するように配置されている。ケース３は、ボビン１ｂの短手方向における両端を挟み込むことができるように、第２鍔体１ｂｃの長手方向の長さよりも、一対の第１突状部３ｐの間の距離を短くしている。第１突状部３ｐは、ボビン１ｂのケース３への圧入により先端部が潰れるように設計されている。ケース３の第１突状部３ｐは、ボビン１ｂの圧入時に潰れ易いように、先端部を鋭角にしていることが好ましい。ガイド溝３ｂｃを構成する嵌合突起３ｈと、ガイド溝３ｂｃに設けられた第１突状部３ｐと、側壁部３ｄとは、第２鍔体１ｂｃから突出する嵌合部３ｒと嵌め合わせられる。言い換えれば、嵌合突起３ｈと第１突状部３ｐと側壁部３ｄとは、ボビン１ｂを保持する保持体３ｑを構成している。
【００４１】
ケース３には、平面視において、長手方向における取付部３ｂと反対側の側壁部３ｄにボビン１ｂの第２鍔体１ｂｃが当たった状態で、第１鍔体１ｂｂから突出する第３突起体３ｒ３と嵌め合される受容部３ｍが設けられている。受容部３ｍは、図１及び図６に示すように、凹所と、凹所から突出する第２突状部３ｇと、を有している。受容部３ｍは、平面視において、Ｅ字状の外形形状をしている。第２突状部３ｇは、底壁部３ｃから立ち上がる三角柱により形成されている。言い換えれば、受容部３ｍは、第３突起体３ｒ３と嵌め合される保持体３ｑを構成している。ケース３は、ボビン１ｂの長手方向における両端を挟み込むことができるように、ボビン１ｂの長手方向の長さよりも、ケース３の長手方向における取付部３ｂと反対側にある側壁部３ｄと、第２突状部３ｇとの間の距離を短くしている。第２突状部３ｇは、ボビン１ｂのケース３への圧入により先端部が潰れるように設計されている。ケース３の第２突状部３ｇは、ボビン１ｂの圧入時に潰れ易いように、先端部を鋭角にしていることが好ましい。受容部３ｍは、図５に示す断面視で示すように、凹部３ａａにおけるボビン１ｂの収容位置に近づくほど、凹部３ａａの深さ方向に沿って深くなる第１傾斜面３ｅｂを備えている。受容部３ｍは、第１傾斜面３ｅｂを備えていることで、ボビン１ｂを凹部３ａａにおける所定の収容位置に収容し易くすることができる。アンテナ装置１０は、ボビン１ｂの嵌合部３ｒと、ケース３の保持体３ｑとの嵌め合いによって、ボビン１ｂをケース３に保持しているため、ボビン１ｂがケース３から浮き上がることを抑制することができる。
【００４２】
ケース３は、図４及び図６に示すように、長手方向の一端側において、一対の段差部３ｎを有している。段差部３ｎは、平面視において、ケース３の短手方向が長尺となる角柱状に形成されている。段差部３ｎは、断面視において、凹部３ａａの底壁部３ｃからケース３の開放端に向かって突出するように形成されている。ケース３は、段差部３ｎの一端から開放端に向かって突出する規制部３ｋを有している。ケース３は、凹部３ａａを構成する側壁部３ｄに、開放端側から切り欠かれるように設けられた溝部３ｄａを有している。溝部３ｄａの内底面は、電線６の外形に沿ってＵ字形状をしている。ケース３は、側壁部３ｄにおける溝部３ｄａを介して、凹部３ａａからケース３の外部に電線６を導出できるように構成されている。
【００４３】
ケース３は、樹脂材料の成形品により形成することができる。ケース３は、たとえば、熱可塑性の樹脂材料により形成することができる。ケース３は、樹脂材料の射出成形により形成することで、複雑な形状を比較的簡単に形成することができる。ケース３は、たとえば、ＰＢＴ樹脂を用いて形成することができる。ケース３は、ガラス繊維を含んだ構成とすることができる。ケース３は、たとえば、樹脂材料中に３０重量％のガラス繊維を含んだ構成とすることができる。ガラス繊維は、樹脂材料中に３０重量％が配合された場合だけに限られず、５重量％ないし５０重量％の範囲内で適宜に樹脂材料中に配合されていてもよい。ケース３は、ガラス繊維を含んだ構成とすることで機械的強度を高めることができる。ケース３の材料としては、ＰＢＴ樹脂だけに限られず、たとえば、ＰＡ樹脂、ＬＣＰ樹脂、ＰＥＴ樹脂、フェノール樹脂、ＡＢＳ（acrylonitrile butadiene styrene）樹脂やＰＰ（polypropylene）樹脂などが用いられてもよい。
【００４４】
アンテナ装置１０は、ケース３の内部に電子部品が備えられていてもよい。電子部品としては、たとえば、コンデンサが挙げられる。コンデンサは、アンテナコイルとともに共振回路を構成することができる。電子部品は、コンデンサだけに限られず、コンデンサに加えて抵抗器や集積回路装置などであってもよい。アンテナ装置１０は、抵抗器と、アンテナコイル及びコンデンサとが直列または並列に電気的に接続されてＲＬＣ回路を構成することができる。アンテナ装置１０は、ＲＬＣ回路におけるコンデンサの容量を適宜に設定することで、所定の周波数の電波に同調させることができる。
【００４５】
ケース３は、アンテナ装置１０を外部の車体３０ａの設置面に取り付ける際に、取付ねじにより取付部３ｂを固定することができる。二股に分かれるように突出する取付部３ｂは、平面視において、取付ねじの頭部を保持し、二股に分かれた開口に取付ねじのねじ部を挿入できるように構成されている。アンテナ装置１０は、たとえば、ケース３の開放端側を外部の設置面に向けた状態で、ケース３の長手方向における取付部３ｂと反対側を車体３０ａに保持させたうえ、取付ねじを用いて取付部３ｂを設置面に固定することで取り付けられる。
【００４６】
充填部４は、凹部３ａａに配置されたアンテナ素子１や電線６の一部を封止することができるように形成される。充填部４は、アンテナ素子１や電線６の一部を封止することで、アンテナ装置１０の機械的な信頼性を高めることができる。アンテナ装置１０では、アンテナ素子１を収納した凹部３ａａに充填部４が形成されているので、外力や車両３０の振動がアンテナ装置１０に加わった場合でも、アンテナ素子１などに外力や振動による損傷を生じ難くできる。充填部４は、アンテナ素子１や電線６の一部を封止することで、アンテナ装置１０の防水機能を確保し、凹部３ａａに配置されたアンテナ素子１の電気絶縁性を高めることが可能となる。
【００４７】
充填部４は、たとえば、アンテナ素子１が収容されたケース３を収容する金型に、充填樹脂を射出させる射出成形を行うことで形成させることができる。充填部４は、充填樹脂の射出成形により形成されるものだけに限られない。充填部４は、充填樹脂のポッティング及び充填樹脂の硬化により形成させることもできる。充填部４は、たとえば、ホットメルト材料であるエチレン酢酸ビニル樹脂を充填樹脂として用いることができる。充填部４は、充填樹脂として、エチレン酢酸ビニル樹脂を用いる構成だけに限られず、ポリエステル樹脂、シリコーン樹脂やウレタン樹脂などの樹脂材料が用いられてもよい。
【００４８】
接続端子５は、巻線１ａと、電線６とを電気的に接続させる。接続端子５は、ボビン１ｂの長手方向に沿って、第１鍔体１ｂｂから突出するように設けられている。接続端子５は、固着部５ｆと、屈曲部５ｋと、を有している。固着部５ｆは、ケース３の側壁部３ｄを介して、凹部３ａａからケース３の外部に導出される電線６が固着される。屈曲部５ｋは、電線６の導出方向に対して屈曲している。図１では、電線６の導出方向を白抜きの矢印で例示している。電線６は、芯線６ａと、絶縁被覆６ｂと、を備えている。接続端子５は、屈曲部５ｋと固着部５ｆに加え、図４に示すように、挿入部５ｐと、ストッパ部５ｓと、挟持部５ｎと、を備えている。屈曲部５ｋと固着部５ｆと挿入部５ｐとストッパ部５ｓと挟持部５ｎとは、一体的に形成されている。アンテナ装置１０は、接続端子５として、第１コイル端子５ａと、第２コイル端子５ｂと、を備えている。第１コイル端子５ａと第２コイル端子５ｂとは、第１鍔体１ｂｂの長手方向に沿って、所定の間隔を隔てて設けられている。
【００４９】
第１コイル端子５ａは、巻線１ａからの線材１ｄの一端を挟み持つことができるように、挟持部５ｎを備えている。第２コイル端子５ｂは、巻線１ａからの線材１ｄの他端を挟み持つことができるように、挟持部５ｎを備えている。第１コイル端子５ａの挟持部５ｎと、第２コイル端子５ｂの挟持部５ｎとは、平面視において、対向するように配置されている。第１コイル端子５ａと第２コイル端子５ｂは、平面視において、電線６の導出方向に対し、線対称となるように構成されている。以下では、第１コイル端子５ａの構成を主として接続端子５を説明する。第１コイル端子５ａは、平面視において、挿入部５ｐがＩ字状の外形形状をしている。挿入部５ｐは、長手方向に沿って、先端に向かうほど幅方向が狭くなる複数の楔部５ｍを備えている。挿入部５ｐは、先端と反対側に屈曲部５ｋが設けられている。
【００５０】
第１コイル端子５ａは、ボビン１ｂの第１鍔体１ｂｂの端面に設けられた挿入孔１ｋａに、挿入部５ｐが挿入できるように構成されている。挿入部５ｐは、第１鍔体１ｂｂの挿入孔１ｋａに圧入される。楔部５ｍは、第１鍔体１ｂｂの挿入孔１ｋａの開口形状よりも、若干大きい大きさとしている。ストッパ部５ｓは、挿入部５ｐの挿入方向と直交する方向に突出している。ストッパ部５ｓは、第１鍔体１ｂｂへの挿入部５ｐの挿入深さを規制する。第１コイル端子５ａは、第１鍔体１ｂｂから露出した部分に挟持部５ｎを設けている。挟持部５ｎは、接続端子５となる金属材の一側縁から幅方向に突出する側端縁を折り曲げ加工することにより形成される。第１コイル端子５ａは、平面視において、屈曲部５ｋと固着部５ｆとでＬ字状の外形形状をしている。アンテナ装置１０は、接続端子５として、第１コイル端子５ａと第２コイル端子５ｂとの２つを備えた構成だけでなく、３つ以上を備えた構成でもよい。
【００５１】
接続端子５は、スポット溶接により、固着部５ｆと電線６の芯線６ａとが電気的、かつ機械的に接続される。接続端子５は、スポット溶接により、固着部５ｆと電線６とが接合される構造だけに限られず、半田付けやレーザ溶着により接続される構造でもよい。接続端子５は、屈曲部５ｋを介して、挿入部５ｐと反対側に固着面５ｆａが設けられている。接続端子５は、電線６との溶接を行う固着面５ｆａが開放端側に向けて配置される。接続端子５は、固着面５ｆａが凹部３ａａの開放端側に向かう状態でボビン１ｂが凹部３ａａに収容される場合、段差部３ｎと当たって凹部３ａａの深さ方向に沈み込むことが抑制される。
【００５２】
接続端子５は、屈曲部５ｋが屈曲部５ｋと対向して設けられた規制部３ｋに当たることで、電線６が導出方向に移動することを規制する。言い換えれば、アンテナ装置１０では、接続端子５が第１鍔体１ｂｂから引き抜かれるように移動を始める場合、接続端子５の屈曲部５ｋと規制部３ｋとが当たって接続端子５の移動を規制するように構成されている。
【００５３】
アンテナ装置１０は、固着面５ｆａが凹部３ａａの開放端側に向かうように配置されていることで、電線６が導出方向に引っ張られた場合でも、接続端子５が規制部３ｋから開放端側に向かうことを抑制することができる。
【００５４】
接続端子５は、平面視において、規制部３ｋにおける電線６の導出方向に沿った辺と、電線６の導出方向と直交する方向に沿った辺とに接するように、屈曲部５ｋが設けられている。屈曲部５ｋは、平面視において、電線６の導出方向に対し屈曲するように形成される場合だけでなく、固着面５ｆａと直交し電線６の導出方向に対し屈曲するように形成される構成でもよい。接続端子５は、２個以上の屈曲部５ｋを備えた構成とすることができる。
【００５５】
接続端子５は、平板状の金属材を用いて形成することができる。接続端子５は、平板状の金属材に、打ち抜き加工、折り曲げ加工や押圧加工を施して形成することができる。接続端子５は、導電性の高い材料を用いることが好ましい。接続端子５の材料としては、たとえば、表面をＳｎでめっきした黄銅を用いることができる。接続端子５の材料は、黄銅だけに限られない。接続端子５の材料は、リン青銅、鉄入り銅、真鍮や表面をＡｇでめっきした銅などを用いることもできる。
【００５６】
アンテナ装置１０は、外部に導出した電線６の先端部に設けられたコネクタ部が、外部のプラグ部を介して制御装置３２と電気的に接続できるように構成されている。
【００５７】
以下では、本実施形態のアンテナ装置１０において、よりアンテナ特性が安定できる点について、説明する。
【００５８】
ところで、アンテナ装置では、一般に、組立時や使用時に何らかの外力が加わると、フェライトコアが割れるおそれがある。アンテナ装置では、フェライトコアが割れると、アンテナコイルが所定のインダクタンスを確保することができない場合がある。アンテナ装置では、特に、フェライトコアが割れたうえ、割れたフェライトコア部分同士の間に隙間が生じて分離した状態となると、アンテナコイルの電気特性が変化し、電界強度が大きく低下する傾向にある。
【００５９】
本実施形態のアンテナ装置１０は、充填部４が、巻き回された巻線１ａの内側において、開口部１ａａから露出するフェライトコア１ｃを封止し、開口部１ａａを閉塞しているので、充填部４がフェライトコア１ｃ及びボビン１ｂの機械的強度を高める。アンテナ装置１０は、充填部４がフェライトコア１ｃ及びボビン１ｂの機械的強度を高めることで、フェライトコア１ｃが割れることを抑制することができる。本実施形態のアンテナ装置１０は、充填部４が、巻線１ａの内側において、フェライトコア１ｃを封止しているので、フェライトコア１ｃが割れた場合でも、割れたフェライトコア部分同士の間に隙間が生じて分離した状態となることを抑制できる。本実施形態のアンテナ装置１０では、割れたフェライトコア部分同士の間に隙間が生じて分離した状態となることを抑制できるので、アンテナコイルの電気特性の変化や電界強度が大きく低下するなどのアンテナ特性が劣化することを抑制することができる。
【００６０】
また、本実施形態のアンテナ装置１０では、図３に示すように、巻線１ａは、ボビン１ｂに巻き回された巻き密度が相対的に高い密部分１０ｂａと、ボビン１ｂに巻き回された巻き密度が相対的に低い疎部分１０ｂｂと、を有している。巻線１ａとボビン１ｂとは、凹部３ａａの深さ方向に沿った方向から見て、疎部分１０ｂｂと、開口部１ａａとが重複していることが好ましい。
【００６１】
本実施形態のアンテナ装置１０では、疎部分１０ｂｂと、開口部１ａａとが重複していることで、開口部１ａａにおいて充填部４がフェライトコア１ｃを、より確実に封止できるので、よりアンテナ特性を安定させることができる。
【００６２】
巻線１ａの巻き密度における密部分１０ｂａと疎部分１０ｂｂとは、凹部３ａａの深さ方向に沿った方向から見て、単位面積当たりの線材１ｄの占有率で弁別することができる。本実施形態のアンテナ装置１０では、巻き回しする線材１ｄの間隔と張力を適宜に調節することで、密部分１０ｂａと疎部分１０ｂｂとを形成することができる。巻線１ａは、アンテナ装置１０の大きさや設定するアンテナコイルのインダクタンスにもよるが、たとえば、線材１ｄと線材１ｄとの間を、１ｍｍの間隔とすることで、疎部分１０ｂｂを構成することができる。
【００６３】
さらに、本実施形態のアンテナ装置１０では、巻線１ａは、密部分１０ｂａが疎部分１０ｂｂを挟むように配置されていることが好ましい。
【００６４】
本実施形態のアンテナ装置１０では、巻線１ａは、密部分１０ｂａが疎部分１０ｂｂを挟むように配置された構成により、充填部４となる充填樹脂の充填時において、巻線１ａの巻き乱れを抑制でき、アンテナコイルのインダクタンスを所定範囲内にできる。
【００６５】
本実施形態のアンテナ装置１０では、ボビン１ｂは、胴部１ｂａと、鍔部１ｂｄと、を有している。胴部１ｂａは、長尺の外形形状をしている。鍔部１ｂｄは、胴部１ｂａの長手方向の一端もしくは他端の少なくとも一方に設けられている。巻線１ａは、密部分１０ｂａが疎部分１０ｂｂよりも鍔部１ｂｄに近いことが好ましい。
【００６６】
本実施形態のアンテナ装置１０では、巻線１ａは、密部分１０ｂａが疎部分１０ｂｂよりも鍔部１ｂｄに近い構成により、充填部４となる充填樹脂の充填時において、巻線１ａの巻き乱れを抑制でき、アンテナコイルのインダクタンスを所定範囲内にできる。
【００６７】
本実施形態のアンテナ装置１０では、巻線１ａは、密部分１０ｂａと疎部分１０ｂｂとの間に、遷移部分１０ｂｃを有している。遷移部分１０ｂｃは、密部分１０ｂａから疎部分１０ｂｂに向けてボビン１ｂに巻き回された巻き密度が低いことが好ましい。
【００６８】
本実施形態のアンテナ装置１０では、密部分１０ｂａと疎部分１０ｂｂとの間に、遷移部分１０ｂｃを有していることで、充填部４となる充填樹脂の充填時において、巻線１ａの巻き乱れをより抑制でき、アンテナコイルのインダクタンスを所定範囲内にできる。
【００６９】
アンテナ装置１０では、遷移部分１０ｂｃは、密部分１０ｂａから疎部分１０ｂｂにかけて、連続的に巻き密度が減少する構成でもよいし、断続的に巻き密度が減少する構成でもよい。
【００７０】
本実施形態のアンテナ装置１０では、フェライトコア１ｃは、長尺の外形形状をしている。フェライトコア１ｃとボビン１ｂとは、凹部３ａａの深さ方向に沿った方向から見て、長尺のフェライトコア１ｃにおける長手方向の中央部と、開口部１ａａとが重複していることが好ましい。
【００７１】
本実施形態のアンテナ装置１０では、ボビン１ｂは、長尺のフェライトコア１ｃにおける長手方向の中央部と、開口部１ａａとが重複しているので、応力を受けて割れやすいフェライトコア１ｃの中央部の機械的強度を高めることができる。
【００７２】
本実施形態のアンテナ装置１０では、ケース３は、凹部３ａａ内において、保持体３ｑを有している。保持体３ｑは、ボビン１ｂを保持することができるように構成されている。ボビン１ｂは、嵌合部３ｒを有している。嵌合部３ｒは、保持体３ｑと嵌め合されるように構成されている。ボビン１ｂは、保持体３ｑと嵌合部３ｒとの嵌め合いによって、ケース３に保持されている。嵌合部３ｒは、第１突起体３ｒ１と、第２突起体３ｒ２と、を有している。第１突起体３ｒ１は、凹部３ａａの深さ方向に沿った方向から見て、ボビン１ｂから外方へ突出している。第２突起体３ｒ２は、凹部３ａａの深さ方向に沿った方向から見て、ボビン１ｂから第１突起体３ｒ１が突出する突出方向と反対の外方へ突出している。第１突起体３ｒ１と第２突起体３ｒ２とは、凹部３ａａの深さ方向に沿った方向から見て、非対称に設けられていることが好ましい。
【００７３】
本実施形態のアンテナ装置１０では、第１突起体３ｒ１と第２突起体３ｒ２とが、凹部３ａａの深さ方向に沿った方向から見て、非対称に設けられていることにより、アンテナ素子１をケース３に収納する場合において、収納方向を一定にすることができる。アンテナ装置１０では、充填部４の充填樹脂を射出成形により形成する場合、アンテナ素子１とケース３との相対的な位置決め精度を向上させることで、充填部４がフェライトコア１ｃを封止する封止精度も向上させることができる。第１突起体３ｒ１と第２突起体３ｒ２とが非対称に設けられているとは、第１突起体３ｒ１と第２突起体３ｒ２との形状が異なる場合や、ボビン１ｂにおいて第１突起体３ｒ１と第２突起体３ｒ２との配置が異なる場合を含んでいる。本実施形態のアンテナ装置１０では、巻線１ａの巻き乱れを抑制でき、アンテナコイルのインダクタンスを所定範囲内にできる。
【００７４】
本実施形態のアンテナ装置１０では、ケース３は、凹部３ａａ内において、ボビン１ｂを保持する保持体３ｑを有しており、ボビン１ｂは、長尺に形成されている。ボビン１ｂは、嵌合部３ｒを有している。嵌合部３ｒは、保持体３ｑと嵌め合されるように構成されている。ボビン１ｂは、保持体３ｑと嵌合部３ｒとの嵌め合いによって、ケース３に保持されている。嵌合部３ｒは、第１突起体３ｒ１と、第２突起体３ｒ２と、第３突起体３ｒ３と、を有している。第１突起体３ｒ１は、凹部３ａａの深さ方向に沿った方向から見て、ボビン１ｂから外方へ突出する。第２突起体３ｒ２は、凹部３ａａの深さ方向に沿った方向から見て、ボビン１ｂから第１突起体３ｒ１が突出する突出方向と反対の外方へ突出する。第３突起体３ｒ３は、凹部３ａａの深さ方向に沿った方向から見て、ボビン１ｂから第１突起体３ｒ１と第２突起体３ｒ２とが突出する突出方向と異なる外方へ突出する。第３突起体３ｒ３は、凹部３ａａの深さ方向に沿った方向から見て、ボビン１ｂの長手方向の一端部に設けられている。第１突起体３ｒ１及び第２突起体３ｒ２は、凹部３ａａの深さ方向に沿った方向から見て、ボビン１ｂの長手方向の一端部と反対の他端部に設けられていることが好ましい。
【００７５】
本実施形態のアンテナ装置１０は、第３突起体３ｒ３がボビン１ｂの長手方向の一端部に設けられ、第１突起体３ｒ１及び第２突起体３ｒ２が、ボビン１ｂの他端部に設けられていることにより、アンテナ素子１とケース３との相対的な位置決め精度を向上できる。本実施形態のアンテナ装置１０では、アンテナ素子１とケース３との相対的な位置決め精度を向上できるので、充填部４となる充填樹脂の充填時において、巻線１ａの巻き乱れを抑制できる。本実施形態のアンテナ装置１０は、巻線１ａの巻き乱れを抑制できるので、アンテナコイルのインダクタンスを所定範囲内にできる。
【００７６】
以下では、アンテナ装置１０の組立工程について説明する。
【００７７】
アンテナ装置１０の組立工程では、ボビン１ｂをあらかじめ製造しておく。ボビン１ｂは、長手方向の中央部に開口部１ａａが形成されている。組立工程では、製造されたボビン１ｂにおける第１鍔体１ｂｂの挿入孔１ｋａに、接続端子５の挿入部５ｐを圧入する。ボビン１ｂは、長手方向に沿って、接続端子５が第１鍔体１ｂｂから突出している。
【００７８】
次に、組立工程では、ボビン１ｂの胴部１ｂａに線材１ｄを巻き回しさせて巻線１ａを形成する。線材１ｄは、第１フック部１ｆａや第２フック部１ｆｂを利用して、巻方向の変更や弛みの防止を行うことができる。巻線１ａは、平面視において、第１鍔体１ｂｂから第２鍔体１ｂｃにかけて、巻密度が高い密部分１０ｂａと、巻密度が低い疎部分１０ｂｂと、巻密度が高い密部分１０ｂａと、が順に配置されるように、線材１ｄが巻き回しされて形成されている。巻線１ａは、疎部分１０ｂｂがボビン１ｂの開口部１ａａと重なるように形成されている。巻線１ａは、第１鍔体１ｂｂに近い密部分１０ｂａから中央の疎部分１０ｂｂまで徐々に巻密度が低くなる遷移部分１０ｂｃを形成している。巻線１ａは、中央の疎部分１０ｂｂから第２鍔体１ｂｃに近い密部分１０ｂａまで徐々に巻密度が高くなる遷移部分１０ｂｃを形成している。巻線１ａでは、さらに、巻方向が第２フック部１ｆｂで変更された線材１ｄが、中央の疎部分１０ｂｂを覆うように配置させている。言い換えれば、巻線１ａは、巻密度が低い疎部分１０ｂｂにおける複数の線材１ｄを渡るように、巻き方向が変更された線材１ｄが配置されている。巻線１ａは、巻密度が低い疎部分１０ｂｂにおける複数の線材１ｄを渡るように、巻き方向が変更された線材１ｄが配置され、疎部分１０ｂｂを補強することができる。巻線１ａは、巻き方向が変更された線材１ｄが疎部分１０ｂｂを補強しているので、充填部４となる充填樹脂の充填時において、巻線１ａの巻き乱れを、より抑制できる。巻線１ａから導出した線材１ｄは、接続端子５の挟持部５ｎで挟み込んで、熱かしめにより固定される。線材１ｄは、熱かしめにより、挟持部５ｎと機械的に固定され、電気的に接続される。
【００７９】
次に、組立工程では、ボビン１ｂから突出している接続端子５と、電線６とのスポット溶接が行われる。組立工程では、電線６の芯線６ａが接続端子５の固着面５ｆａと重なるように配置されたうえで、スポット溶接が行われる。続いて、組立工程では、ボビン１ｂの胴部１ｂａ内にフェライトコア１ｃを圧入してアンテナ素子１を形成する。組立工程では、フェライトコア１ｃをボビン１ｂに対して相対的に移動させることで、アンテナ素子１のインダクタンスを調整させることができる。
【００８０】
次に、組立工程では、ボビン１ｂをケース３に圧入することにより、ケース３の凹部３ａａにアンテナ素子１を収容する。アンテナ装置１０では、第１突起体３ｒ１及び第２突起体３ｒ２がケース３の第１突状部３ｐに各別に押圧される。アンテナ装置１０では、第３突起体３ｒ３が受容部３ｍの第２突状部３ｇにより押圧される。アンテナ装置１０は、アンテナ素子１がケース３に組み込まれた際に、電線６の張力で浮き上がってしまうおそれがあるが、ケース３にボビン１ｂを圧入することで、アンテナ素子１の浮きを抑制することができる。
【００８１】
組立工程では、ボビン１ｂをケース３に嵌め合わせることにより、接続端子５の屈曲部５ｋと、規制部３ｋとが対向するように配置される。第１コイル端子５ａや第２コイル端子５ｂは、ボビン１ｂをケース３に嵌め合わせた状態で、屈曲部５ｋと規制部３ｋとの間に若干の隙間が生ずるように構成されている。第１コイル端子５ａや第２コイル端子５ｂは、屈曲部５ｋと規制部３ｋとの間に若干の隙間が生ずるように構成されていることで、ボビン１ｂとケース３との嵌め合わせを滑らかに行わせることができる。アンテナ装置１０では、接続端子５の固着部５ｆと電線６の芯線６ａとが、スポット溶接により接続されており、接続端子５がボビン１ｂに圧入されている。アンテナ装置１０は、接続端子５の挿入部５ｐがボビン１ｂに圧入され、線材１ｄが接続端子５の挟持部５ｎに熱かしめされ、電線６と接続端子５の固着部５ｆとがスポット溶接により接続されている。
【００８２】
接続端子５は、屈曲部５ｋと規制部３ｋとの間の隙間が大きければ、電線６の引っ張り力によりボビン１ｂへ圧入された接続端子５が引き抜かれるように動く移動距離が大きくなり、線材１ｄが一緒に引っ張られて断線するおそれがある。第１コイル端子５ａや第２コイル端子５ｂは、屈曲部５ｋと規制部３ｋとの間の隙間を、たとえば、線材１ｄの伸びなどで線材１ｄが断線しない程度に、約０．２ｍｍ程度とすることができる。アンテナ装置１０では、線材１ｄの伸びよりも、接続端子５の移動距離が小さくなるように、屈曲部５ｋと規制部３ｋとの間の隙間を規定している。
【００８３】
次に、組立工程では、ケース３の凹部３ａａにアンテナ素子１を配置した状態において、凹部３ａａを封止するように充填部４がホットメルト形成により形成される。充填部４は、図２に示すように、凹部３ａａから露出する露出面４ａａが、ケース３の側壁部３ｄの端面と面一となるように形成される。
【００８４】
アンテナ装置では、適宜の設定量の充填樹脂を射出させる場合であっても、アンテナ素子がケースの所定の位置に収納されていなければ、充填部でフェライトコアを保護することができない場合がある。アンテナ装置では、アンテナ素子がケースに収納された際に電線の張力などで浮き上がってしまう可能性もある。アンテナ装置では、ケースを充填樹脂で充填しても、充填部がアンテナ素子を充填しない露出状態となるおそれがある。
【００８５】
本実施形態のアンテナ装置１０では、嵌合部３ｒと保持体３ｑとが嵌め合されているので、アンテナ素子１とケース３との相対的な位置決め精度を向上でき、充填部４がアンテナ素子１を充填し、より確実にアンテナ素子１を保護することができる。
【００８６】
アンテナ装置１０は、ボビン１ｂの内部に充填された充填部４により、巻線１ａの内側において、ボビン１ｂから露出するフェライトコア１ｃを保護している。アンテナ装置１０は、巻線１ａの内側において、ボビン１ｂから露出するフェライトコア１ｃを封止し、開口部１ａａを閉塞していれば、何らかの原因でフェライトコア１ｃが割れることを抑制することができる。アンテナ装置１０は、ボビン１ｂの内部に充填された充填部４により、フェライトコア１ｃが割れた場合でも、割れたフェライトコア部分同士の分散を抑制できる。
【００８７】
また、アンテナ装置１０は、一方の主片１ｂｓに形成された開口部１ａａと、他方の主片１ｂｓに形成された開口部１ａａとが、重複領域と非重複領域の両方を有していることで、巻線１ａの隙間からボビン１ｂの内部に充填樹脂をより充填しやすくできる。ボビン１ｂは、開口部１ａａにより、巻線１ａの隙間からボビン１ｂの内部に充填樹脂が入りやすくできるので、ボビン１ｂの内部に気泡が残りにくくすることができる。
【００８８】
本実施形態のアンテナ装置１０では、ボビン１ｂの開口部１ａａが多角形形状の角に丸みを有することで、ボビン１ｂとフェライトコア１ｃとの間に巻線１ａを介して充填部４を充填させやすくすることが可能となる。ボビン１ｂは、開口部１ａａを備えることで、気泡によりボビン１ｂとフェライトコア１ｃとの間に充填部４が充填されていない空洞が形成されることを抑制することができる。ボビン１ｂは、開口部１ａａを備えることで、充填部４がフェライトコア１ｃと直接接触してフェライトコア１ｃを保護することができる。
【００８９】
組み立てられたアンテナ装置１０は、たとえば、図８に示すように、自動車などの車体３０ａのドア３３に設けられる。アンテナ装置１０は、リモコン装置３０ｂにＬＦ帯の電波を送信することができるように構成されている。
【００９０】
言い換えれば、車両３０は、上述のアンテナ装置１０と、アンテナ装置１０が設けられた車体３０ａとを有する構成としている。リモコン装置３０ｂは、リモコン装置３０ｂを携帯するユーザが車体３０ａに近づくと、アンテナ装置１０からのＬＦ帯の電波を受信し、ＵＨＦ帯の電波を車両３０へ送信する。車体３０ａは、リモコン装置３０ｂからのＵＨＦ帯の電波を制御装置３２が受信する。制御装置３２は、施錠装置３３ａを制御してドア３３の錠を解錠する。電子キーシステムは、リモコン装置３０ｂからの応答信号をマイクロコンピュータで信号処理し、マイクロコンピュータからの電気信号でモータを動かして、ドア３３の錠を解錠や施錠にできるように構成されている。
【符号の説明】
【００９１】
１  アンテナ素子
１ａａ  開口部
１ａ  巻線
１ｂ  ボビン
１ｂａ  胴部
１ｂｄ  鍔部
３  ケース
３ａａ  凹部
３ｒ１  第１突起体
３ｒ２  第２突起体
３ｒ３  第３突起体
３ｑ  保持体
３ｒ  嵌合部
４  充填部
１０  アンテナ装置
１０ｂａ  密部分
１０ｂｂ  疎部分
１０ｂｃ  遷移部分
３０  車両
３０ａ  車体
【図１】
2017123523.tif 000003
【図２】
2017123523.tif 000004
【図３】
2017123523.tif 000005
【図４】
2017123523.tif 000006
【図５】
2017123523.tif 000007
【図６】
2017123523.tif 000008
【図７】
2017123523.tif 000009
【図８】
2017123523.tif 000010